(57)【要約】ハンドヘルド型で手動操作式の電子聴診器センサモジュール（１）が、そのセンサモジュール（１）に加えて、そのセンサモジュール（１）に随意に取り付けられる少なくとも１つの追加装置ユニットを含む装置キットの中心部を構成する。センサモジュール（１）には、追加装置ユニットの各々に対して適合しているインタフェース手段が備えられている。追加装置ユニットとインタフェース手段との組合せ対の例は、ワイヤレスヘッドセット（９）とモジュール（１）上の無線アンテナ（７）、機械部品の聴音のための前置部品（１６）とモジュール（１）上の前置聴音面（３）、および、ガルバニック安全分離ユニット（２３）とモジュール（１）上の付属コネクタである。
2004500219.tif 000002
【特許請求の範囲】
【請求項１】
場合によっては接続コード付固定装着ヘッドセットを有する、ハンドヘルド型で手動操作式の電子聴診器センサモジュールを含む電子聴診装置キットにおいて、
前記キットは、さらに、前記センサモジュールに随意に取り付けられる少なくとも１つの追加装置を含むことと、
前記聴診器センサモジュールは、前記追加装置ユニットの各々に適合したインタフェース手段を備えていること
とを特徴とする電子聴診装置キット。
【請求項２】
前記少なくとも１つの追加装置ユニットは、
例えば小さな子供に対して使用される、聴音領域のスケールダウンのための前置部品と、
例えば機械部品に対する聴音に使用される、堅い延長棒またはパイプを有する前置部品と、
ワイヤレスタイプのヘッドセットと、
接続コードおよびコネクタを有するヘッドセットと、
ワイヤレス信号処理ユニットと、
ヘッドセット共同聴音のための分配ユニットと、
前記センサモジュールと、商用電源に接続されている別の電気装置、例えばＰＣまたは測定装置との間のガルバニック安全分離ユニット
とを含むグループの中から選択されることを特徴とする請求項１に記載の電子聴診装置キット。
【請求項３】
前記センサモジュールインタフェース手段は、
ヘッドセットからの接続コードのためのコネクタと、
ワイヤレスヘッドセットに対する無線接続のためのアンテナと、
ワイヤレスヘッドセットに対する光接続のためのランプと、
信号処理ユニットに対する無線接続のためのアンテナと、
信号処理ユニットに対する光接続のためのランプと、
ヘッドセット共同聴音のための分配ユニットに対する接続コードのためのコネクタと、
ヘッドセット共同聴音のための分配ユニットに対する無線接続のためのアンテナと、
ヘッドセット共同聴音のための分配ユニットに対する光接続のためのランプと、
ガルバニック安全分離ユニットに対する接続コードのためのコネクタ
とを含むグループの中から選択されることを特徴とする請求項１に記載の電子聴診装置キット。
【請求項４】
前記センサモジュール上の前置聴音面が、前記モジュールインタフェース手段の１つを構成することを特徴とする請求項１に記載の電子聴診装置キット。
【発明の詳細な説明】
【０００１】
本発明は一般的に電子聴診法に関し、さらに特に、請求項１の前文による電子聴診のための装置キットに関する。
【０００２】
電子聴診器は公知であり、例えば、本出願人に帰属する標題「聴診装置」の先行のノルウェー特許３００，２５０および標題「電子聴診器のための聴音ヘッド」のノルウェー特許３０４，８７０を参照されたい。最初に言及した特許公開は電子聴診器の全般的構造を示し、次に言及した特許公開は、一実施形態では、例えば付近の固定ユニットに無線信号によって聴診音を伝送することができるハンドヘルドユニットによって構成されてもよい聴音ヘッドに関する。最初に言及した特許公開では、ヘッドセットの使用が電子聴診法に関連して述べられており、さらに、体表面と直接接触する形で配置されることになっているマイクロホンも言及されている。したがって、この従来技術は、接続されているヘッドセットを有するハンドヘルド聴診器センサモジュールを含み、すなわち、このセンサモジュールからヘッドセットへのケーブルを有する。この従来技術は、さらに、ハンドヘルドセンサモジュールからの無線送信も含む。
【０００３】
しかし、上述のタイプのハンドヘルド電子聴診器センサモジュールは、接続されているヘッドセットとの当初に意図された接続以外の他の接続において使用されることが可能であり、より進歩した形態の調査、調査データの記録、および、例えば指示または集団作業との関連において、使用の可能性を拡大することに関心がある。
【０００４】
本発明はこうした使用の可能性の拡大に関連した問題に対する解決策を提供し、および、導入部で言及されているタイプ装置キットを確立して提供することであり、かつ、本発明は、特許請求項１の特徴付け部分に示されている特徴によって特徴付けられている。本発明の好ましい実施態様が、従属特許請求項にも示されている。
【０００５】
以下では、本発明を、添付図面を参照しながら本発明の実施形態を説明することによってより詳細に示す。
【０００６】
図１ａ）は、本体２と前置聴音面３とを有するハンドヘルド聴診器センサモジュール１が、信号線５と恒久的カップリング４とを介して恒久的に接続されているヘッドセット６と共に示されている基本形態を示す。したがって、この装置全体は、追加装置が接続可能である基本ユニットとみなされなければならない。
【０００７】
しかし、別の変型では、包括的でない基本形態、すなわち、図１ｂ）と図１ｃ）とに示されているような基本形態、すなわち、恒久的な接続コード結合のないハンドヘルドモジュール１から始めることも可能である。図１ｂ）の変型では、モジュール１は、自立型（すなわち、必要な電源と、受信器と、ヘッドセットスピーカ用の増幅器とを含む）ヘッドセット９によって受信されるべき無線信号８の伝送のための（好ましくは不可視の）アンテナ７を備えている。さらに、ヘッドセットに対するインタフェースを構成するアンテナ７は、原理的に、変調光、好ましくは不可視（赤外）光を放出するランプによって、または、超音波伝送器によって置き換えることが可能であるが、こうした短波信号伝送は、例えば医師／オペレータの身体や他の身体のような障害物によって遮断され易い。したがって、無線信号が好ましい。
【０００８】
図１ｃ）にも示されているこうした基本形態では、図１ａ）の基本形態によって構成されている実施形態とほぼ同じ実施形態が、コネクタ１１とこれに対応するコネクタ１０とによってモジュール１に対して接続または切断されることが可能な信号接続コード１２を有するヘッドセット６から成る追加装置によって得られ、前記対応するコネクタ１０はヘッドセットに対するモジュールインタフェースと定義される。
【０００９】
これまでは、「モジュールの後側」すなわち医師／オペレータ側に配置されるタイプの追加装置について言及してきた。追加装置９もしくは追加装置１１＋１２＋６の一方、さらには、これら追加装置の両方が、本発明による装置キットに含まれてもよい。
【００１０】
本発明による装置キットに含まれることが可能な別のタイプの追加装置は、聴音能力の拡張、すなわち、聴音状況の変更を可能にする追加装置である。図２ａ）には、関節式の具体例として示されている棒または管１８を含み、かつ、聴音面３に対する適合部品１７を含む、特に機械部品または建築部品を聴音するようになっている追加装置１６が示されている。この棒は、音／振動の適切な伝達のために堅い硬質の材料で作られていなければならない。関節式または非関節式の棒１８が、接近が困難な機械部品の聴音分析のために有用でありうる。この用途に関連して、聴診器／聴診が、生体に対する聴音だけでなく、聴音分析に適している機械部品、建築部品、および、他の分野に対する聴音も意味するということに同時に留意されたい。センサモジュールの聴音面３は装置１６に対するモジュールインタフェースを構成する。
【００１１】
図２ｂ）には、聴音領域がスケールダウンされておりかつモジュール聴音面３に対して直接に適合した前置部品１９の形をした追加装置が示されている。特定の状況においては、例えば小さな子供の場合のように、聴診されるべき表面が小さく、この場合には、こうした適合部品が有用だろう。
【００１２】
図２ｃ）には、これとは反対の場合が示されており、すなわち、センサモジュールの聴音面３によって占められる領域よりも大きい領域から音を聴取するための追加装置が示されている。
【００１３】
図３には、装置キットに含まれることが可能な別の追加装置、すなわち、教育現場または共同作業で使用される共同聴音のための分配ユニット２２が示されており、この追加装置に対しては一連のヘッドセット６が接続コード５によって接続可能である。この実施形態では、接続コード２１がセンサモジュール１と分配ユニット２２とを接続する。しかし、接続コード２１は、センサモジュール１と分配ユニット２２との中に組み込まれているアンテナにより、このセンサモジュール１と分配ユニット２２との間のワイヤレス接続によって置き換えることも可能である。上述のように、光信号伝送による接続も可能である。分配ユニット２２は、接続コードで接続された幾つかのヘッドセットに対して信号を分配することを配慮して増幅器も含むべきである。（当然のことながら、分配ユニット２２から各ヘッドセットへのワイヤレス伝送を想定することも可能であり、または、センサモジュール１から複数の自立型ヘッドセットに対し直接的なワイヤレス伝送を想定することも可能である。）
さらに、同じ図面で、分配ユニット２２からＰＣ２４または測定装置２５に対しさらに別の接続の可能性も示されている。接続コード接続が使用される場合には、安全上の理由から、電池で駆動されることがある分配ユニット２２と商用電源駆動の装置２４、２５との間の信号線上にガルバニック分離ユニットが存在することが重要である。ガルバニック分離２３は、例えば光絶縁技術によって実現されることが可能である。
【００１４】
図４は、ハンドヘルドセンサモジュール１が例えばＰＣまたは測定装置に直接接続されている場合を示す。これらの装置が商用電源で駆動されている場合には、上述の場合と同様に、安全上の理由から、センサモジュールとＰＣ／測定装置との間の信号線接続上にガルバニック安全分離ユニット２３が存在することが重要である。さらに、同じガルバニック分離ユニットによってＥＫＧ検出装置を保護することも可能である。こうしたガルバニック分離ユニット２３は、論題の装置キット内に含まれてもよい。
【００１５】
センサモジュール１から別個の信号処理ユニットに対して直接的なワイヤレス接続を行うことも、すなわち、無線信号、光、または、超音波によって、可能である。センサモジュールからの信号のワイヤレス受信のためのこうした信号処理ユニットも装置キットに含まれてよい。
【００１６】
本発明による装置キットは、当然のことであるが、例えば実用的なスーツケースに収納した形で提供され、このキットは特定の目的のために特別な形で適合することが可能である。例えば、機械部品の聴音を他者に教える時に使用されることになっている機械部品の聴音のために特別に作られているキットを計画する場合、基本部品としてのセンサモジュール１と、さらに分配ユニット２２と、例えば接続コード５とコネクタとを付けた５つのヘッドセット部品６と、センサモジュールと分配ユニットとの間の接続線２１と、例えば、接近が困難な機械部品に接近して聴音するための様々の形に設計されたパイプ／継手／長さを有する３つの前置部品１６とを含むことも可能である。
【００１７】
一般的な開業医のための簡単な装置キットが、基本部品としてのワイヤレスセンサモジュール１と、追加装置としてのワイヤレスヘッドセット６とワイヤレス信号処理ユニット２２と表面領域適合部品１９、２０とを含んでもよい。場合によっては、このキットは、基本部品としての固定取付けヘッドセット（１＋５＋６）を付けたセンサモジュールと、追加装置としての表面適合ユニット１９、２０だけを含んでもよい。
【００１８】
専門医／病院の場合には、場合によってはさらに患者身体の内部空洞および開口部に対しても適合している、患者身体の特定の領域に適合している特殊な前置アタッチメントを含むことも可能であり、および、幾つかのヘッドセット６を付けた分配ユニット２２を本来の装置キットの部品として含んでいてもよい。分離ユニット２３も含まれなければならない。病院の状況においては、経過の自動記録を伴う比較的長時間の聴音状況が重要になることがあり、これに関連して、このキットは、聴診器センサモジュールを患者身体上に安定した形で配置するための取付けストラップも含むべきである。この場合には、センサモジュールは、取付けストラップに適合した特殊な取付け細部を有してよい。
【図面の簡単な説明】
【図１】
担当医師またはオペレータのための聴音能力を提供する追加装置と同時に装置キットの可能な基本部分を示した図である。
【図２】
医療タイプおよび他のタイプの特殊な聴音状況で使用するための追加装置のあるタイプを示した図である。
【図３】
共同聴音および記録のための追加装置を示した図である。
【図４】
センサモジュールと商用電源駆動の記録装置との間のガルバニック分離を実現するための追加装置を示した図である。
【図３】
2004500219.tif 000003
【図４】
2004500219.tif 000004
【国際公開パンフレット】
2004500219.tif 000005
2004500219.tif 000006
2004500219.tif 000007
2004500219.tif 000008
2004500219.tif 000009
2004500219.tif 000010
2004500219.tif 000011
2004500219.tif 000012
2004500219.tif 000013
2004500219.tif 000014
2004500219.tif 000015
【国際調査報告】
2004500219.tif 000016
2004500219.tif 000017
2004500219.tif 000018